【事件の表示】
　特願２０１４−　　　３２６「分散システムにおけるパーシステントパーソナルメッセージング」拒絶査定不服審判事件〔平成２６年　５月２２日出願公開、特開２０１４−　９６１６７、請求項の数（４９）〕について、次のとおり審決する。
【結　論】
　原査定を取り消す。
　本願の発明は、特許すべきものとする。
【理　由】
第１　手続の経緯
　本願は、平成２１年６月１２日（優先権主張２００８年６月１８日、米国）を国際出願日とする特願２０１１−５１４７１９号の一部を、平成２６年１月６日に新たに特許出願したものであって、平成２６年１２月２日付けで拒絶理由が通知され、平成２７年２月２６日付けで手続補正がなされたが同年６月５日付けで拒絶査定がなされ、これに対し、同年１０月８日に拒絶査定不服審判の請求がされたものである。
　
第２　本願発明
　本願の請求項１〜４９に係る発明は、平成２７年２月２６日付けで手続補正された特許請求の範囲の請求項１〜４９に記載された事項により特定されるとおりのものと認められるところ、本願の請求項１３に係る発明（以下、「本願発明」という。）は以下のとおりである。
　
「【請求項１３】
　分散ネットワークに接続されたクライアントデバイスのポピュレーションへのパーシステントメッセージングサービスを提供するための装置であって、
　パーシステントメッセージングサービスを実行する共有メモリスペースをホストするための手段と；
クライアントデバイスから通信ネットワークを介して前記パーシステントメッセージングサービスとのアクティブ通信を開始するユーザーのために、前記共有メモリスペースにユーザーデータを配置させるための手段と；
以前のメッセージングセッションの前記ユーザーデータにマッチする前記共有メモリスペースに記憶されたメッセージオブジェクトを位置づけるための手段と；
　前記メッセージオブジェクトから引き出された履歴メッセージを前記通信ネットワークを介して前記クライアントデバイスに送信するための手段と；
　を備え、
　前記履歴メッセージは、前記以前のメッセージングセッションの少なくとも一部を備える、
　装置。」
　
第３　原査定の理由の概要
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項１
・引用文献１−３
・備考
　引用文献１には、電子掲示板、チャット等に適用されるコミュニケーションシステムにおいて、ユーザデータを管理するユーザ管理部、メッセージデータを管理するメッセージデータ管理部、ユーザの履歴情報を管理する履歴管理部を備えており、ユーザがログインすると、前回ログアウト時刻以前のメッセージと前回ログアウト時刻以降のメッセージを区別して表示することが、記載されている（段落【００１０】−【００３３】，【００５４】−【００５５】，【００６４】，【００６６】，図１，２，５等）。
　引用文献１の「ユーザ管理部」「メッセージデータ管理部」「履歴管理部」等の各情報を記憶する管理部は、本願発明の「共有メモリスペース」に、また、引用文献１の「前回ログアウト時刻以前のメッセージ」「前回ログアウト時刻以降のメッセージ」は、本願発明の「履歴メッセージ」に、それぞれ対応する。データの格納形式や抽出手順をどのようなものとするかは、必要に応じて当業者が適宜に選択しうることである。
　さらに、引用文献１の他、引用文献２（段落[0026], [0033], [0074], [0096], [0107]-[0108]等）にもチャットセッションを第２のクライアントに切り替えて継続することが、また、引用文献３（段落[0002], [0048], [0078]等）にもインスタントメッセージングにおいて過去のログを保存しておき、指定したログの会話を再開することが記載されており、本願発明は、引用文献２または引用文献３に記載の発明に基づいても、当業者が容易に想到しうるものである。
・請求項２−６
・引用文献１−４
・備考
　引用文献４には、コミュニケーションサーバが特定ユーザのプレゼンス情報に基づいてチャット開始イベントの発生を認識すると、同一の興味を持っているユーザとして特定ユーザとの会話に興味のあるユーザを選択してチャットグループを形成する友達リストを生成し、チャット開始情報と友達リスト情報を複数のユーザ端末に送信し、ユーザ端末が受信した友達リスト情報を表示することにより、各ユーザはチャットに参加するユーザを把握できることが、記載されている（段落【００５５】，【００６５】−【００６６】，【００７０】，【００８８】，【００９５】−【０１０３】）。
・請求項７，８
・引用文献１−５
・備考
　引用文献５には、特定の興味を持つユーザに対して、インスタントメッセージによる広告を送信することが記載されている（段落[0024]-[0025], [0032], [0037]等）。
・請求項９−４９
・引用文献１−５
・備考
　上記請求項１−８で示した判断を参照されたい。
　　　　　　　　　　　　　　＜引用文献等一覧＞
１　特開２００２−２７８９９０号公報
２　米国特許出願公開第２００３／０１０１３４３号明細書
３　米国特許出願公開第２００６／０２１２５８３号明細書
４　.特開２００４−１０２５４７号公報
５.　米国特許出願公開第２００４／０１８６７６６号明細書
・請求項　１
・引用文献等　１
　出願人は意見書において、補正後の請求項１に係る発明と引用文献１に記載の発明とを対比し、
「補正後の本願請求項に記載の構成、すなわち、分散ネットワークに接続されたクライアントデバイスへのパーシステントメッセージングサービスを達成するための計算プラットフォーム、メッセージングゲートウェイ及び通信ネットワーク等の構成について何ら開示も示唆もされていません。」と指摘し、本願発明の進歩性を主張している。
　上記主張について検討する。出願人が指摘する各事項について、請求項１に係る発明と引用文献１に記載の発明とを以下に対比する。
　引用文献１にはサーバがネットワークを介してクライアントに接続され、サーバがメッセージを記憶管理し、クライアントとメッセージの送受信を行うものであるから、引用文献１に記載のシステムによって提供される機能全体は、請求項１に係る発明の「分散ネットワークに接続されたクライアントデバイスへのパーシステントメッセージングサービス」に相当する。
　請求項１に係る発明の「計算プラットフォーム」は「パーシステントメッセージングサービスを実行する共有メモリスペースをホストする」手段を意味すると認められる。これに対し、引用文献１には「サーバ」が「記憶装置」によって複数のユーザによるメッセージを記憶管理するもの（図３等）であることが記載されており、当該構成は請求項１に係る発明の「計算プラットフォーム」に相当する。
　請求項１に係る発明の「メッセージングゲートウェイ」は、「共有メモリスペースにユーザーデータを配置」し、「以前のメッセージングセッションの前記ユーザーデータとマッチする前記共有メモリスペースに記憶されたメッセージオブジェクトを位置付け」、「メッセージオブジェクトから引き出された履歴メッセージを前記通信ネットワークを介して前記クライアントデバイスに送信する」機能を有する手段を意味すると認められる。これに対し引用文献１（段落［００６４］等）には、「処理装置」の制御により記憶手段にメッセージデータを管理し、ユーザがネットワークを介してクライアントによりログインすると、前回ログアウト時刻以前のメッセージと前回ログアウト時刻以降のメッセージを区別して表示することが記載されており、当該構成は請求項１に係る発明の「メッセージングゲートウェイ」に相当する。
　請求項１に係る発明の「通信ネットワーク」は、引用文献１にも記載されている（図３等）。
　してみれば、出願人が指摘する本願発明の構成は、引用文献１にも対応する構成が記載されており、その主張は採用できない。
・請求項　２−６，１０，１５−１９，２３，２５−２９，３２，３８−４２，４６
・引用文献等　１，４
　上記請求項１について行った検討の内容と、上記拒絶理由通知書で請求項２−６について示した判断を参照されたい。
・請求項　７，８，２０，２１，３０，３１，４３，４４
・引用文献等　１，４，５
　上記請求項１について行った検討の内容と、上記拒絶理由通知書で請求項７，８について示した判断を参照されたい。
・請求項　９，１１−１４，２２，２４，３３−３７，４５，４７−４９
・引用文献等　１
　上記請求項１について行った検討の内容を参照されたい。
　　　　　　　　　　　　　　＜引用文献等一覧＞
１.特開２００２−２７８９９０号公報
４.特開２００４−１０２５４７号公報
５.米国特許出願公開第２００４／０１８６７６６号明細書
第３　当審の判断
１．引用文献１の記載事項（下線は当審で注目する箇所を示す。）・引用発明
「【００１１】
本実施例ではカードの形態で表示され、個々の送受信の対象となるメッセージを情報単位としたコミュニケーションシステムについて述べるが、本発明はこれに限定されるものではなく、電子掲示板やチャット、電子メールなどさまざまな種類のシステムに適用できる。
【００１２】図１は、本実施例の概要を示す。本実施例では、カードの形態で表示され、個々の送受信の対象となるメッセージを情報単位とするコミュニケーションシステムにおいて、ユーザの行動履歴を参照して、コミュニケーションの経過、構造、内容を理解する上で重要となるメッセージ（以下キーメッセージという）を抽出し、他のメッセージと区別して表示することによりコミュニケーションの活性化を支援する。
【００１３】
本実施例ではユーザが投稿したメッセージに対してのキーメッセージの抽出および出力を説明するが、閲覧されたメッセージに対しても同様に抽出および出力できる。
【００１４】
メッセージの表示画面１はユーザがログインした直後にコミュニケーションの全体内容が表示されている状態の一例である。
【００１５】
ユーザＡがキーメッセージ表示を指示すると、キーメッセージ６が他のメッセージと区別されて表示される。キーメッセージ６は（１）ユーザが前回ログアウトした時刻、（２）過去にどのメッセージをいつ閲覧したか、（３）過去にどのメッセージをいつ投稿したか、を格納した履歴データ２１を参照して抽出される。
【００１６】
まず、前回ログアウトした時刻を参照して、全メッセージ中からユーザＡが前回ログアウトした時刻以降に投稿されたメッセージを特定する。次に、特定したメッセージの中からユーザＡが投稿したメッセージと前記投稿されたメッセージ情報を起点として、各メッセージ情報に到達するまでの最短リンク数（以下距離Ｎとする）がユーザの指定した閾値以下であるメッセージをキーメッセージ６として抽出する。距離Ｎはユーザがキーメッセージ表示を指示する時に指定できる。抽出したキーメッセージ６を他のメッセージとは区別して表示する。
【００１７】
図２は、本実施例で述べるコミュニケーションシステムのブロック構成を示す。
【００１８】ユーザはデータ送受信部１１を介して、ログイン指示、ログアウト指示、投稿されているメッセージへの閲覧指示、メッセージの投稿指示、キーメッセージ表示指示を行う。
コミュニケーション制御部１２はユーザからの操作指示を適切な処理部に渡して処理することにより、コミュニケーション全体の流れを制御する。
【００１９】
ユーザ管理部１３はユーザＩＤおよびパスワードの組を格納するユーザデータ１９を管理し、ログイン指示があった際にユーザＩＤとパスワードを認証し、正しければユーザＩＤをコミュニケーション制御部１２に渡し、正しくなければログイン失敗のメッセージを返す。
【００２０】
内容表示部１４は、メッセージを表示できる形式のデータに変換する。メッセージデータ管理部１５はメッセージＩＤ、投稿ユーザＩＤ、投稿時刻、メッセージの内容情報、メッセージを表示する位置情報、メッセージに関連付けられたリンクメッセージＩＤの組を格納するメッセージデータ２０を管理し、ユーザからメッセージの投稿指示があった際に、当該投稿メッセージにＩＤを付与し投稿メッセージをメッセージデータ２０に追加登録する。
【００２１】
履歴管理部１６はユーザＩＤ、ログアウト情報、履歴情報の組を格納する履歴データ２１を管理し、メッセージの閲覧指示または投稿指示がされた際に、その指示を出したユーザの履歴情報を更新する。また、ログアウト指示がされた際にログアウト時刻を更新する。
【００２２】
キーメッセージ抽出部１７は、履歴データ２１およびメッセージデータ２０を参照してキーメッセージを抽出する。キーメッセージ表示部１８は、抽出したキーメッセージを他のメッセージと区別して表示できるようにメッセージデータを表示できる形式のデータに変換する。
【００２３】ユーザデータ１９はユーザＩＤとパスワードの組を格納している。メッセージデータ２０は、各メッセージについてメッセージＩＤ、投稿ユーザＩＤ、投稿時刻、内容情報、位置情報、リンクＩＤを格納している。履歴データ２１はコミュニケーションに参加登録している各ユーザについて、ユーザＩＤ、ログアウト時刻、履歴情報を格納している。
【００２４】図３は、本実施例で述べるコミュニケーションシステムのハードウェア構成を示す。
本システムは、プログラムおよびデータを格納する記憶装置５１と、記憶装置５１からプログラムおよびデータをロードして演算処理を実行する処理装置７５、処理装置７５とクライアント３０をネットワーク４０を介して通信させるための通信装置７０からなるサーバ５０である。
【００２５】記憶装置５１はさらに、ワーキングエリア５２、コミュニケーション制御部格納エリア５３、ユーザ管理部格納エリア５４、内容表示部格納エリア５５、メッセージデータ管理部格納エリア５６、履歴管理部格納エリア５７、キーメッセージ抽出部格納エリア５８、キーメッセージ表示部格納エリア５９、ユーザデータ格納エリア６０、メッセージデータ格納エリア６１、履歴データ格納エリア６２からなる。このうち、ワーキングエリア５２、ユーザデータ格納エリア６０、メッセージデータ格納エリア６１、履歴データ格納エリア６２はデータを格納するエリアであり、その他の格納エリアはプログラムを格納するエリアである。
【００２６】図３では、サーバのハードウェア構成図の一例を示したが、サーバに限定されるものではなく、例えばメーラーのように、メッセージデータをクライアントにダウンロードして、クライアントで各種処理を実行する場合、上記構成はクライアント内に必要となるが、その場合でも本発明は実施可能である。
【００２７】図４は、本実施例におけるコミュニケーションシステムの履歴データ２１の構成の一例を示す。
履歴データ２１はそれぞれがユーザＩＤ２００、ユーザの前回のログアウト時刻であるログアウト時刻２０１、履歴情報２０２からなる複数のユーザ情報１００から構成される。さらに履歴情報２０２は、メッセージに対するユーザの行動が投稿なのか、閲覧なのかを示す種別２０３、閲覧または投稿されたメッセージＩＤ２０４、閲覧または投稿指示された時刻を表す時刻２０５から構成される。
【００２８】
図５は、本実施例におけるコミュニケーションシステムのメッセージデータ２０の構成の一例を示す。メッセージデータ２０はそれぞれがメッセージＩＤ４００、投稿ユーザＩＤ４０１、投稿時刻４０２、メッセージの本文にあたる内容情報４０３、メッセージの表示位置を表す位置情報４０４、メッセージがリンク付けされている他のメッセージのＩＤ群であるリンクメッセージＩＤ４０５からなる複数のメッセージデータ３００から構成される。
【００２９】以下では、図２に示すブロック図を構成する個々の処理部の処理内容および処理アルゴリズムについて詳しく述べる。
【００３０】図６はコミュニケーション制御部１２の処理アルゴリズムを示す。ユーザからのログイン指示があった場合（ステップ５０１）、ユーザが入力したユーザＩＤとパスワードをユーザ管理部１３に渡して照合する（ステップ５０２）。ユーザＩＤとパスワードが正しい場合（ステップ５０３）、内容表示部１４にコミュニケーション全体内容表示データの作成を指示する（ステップ５０５）。ユーザＩＤとパスワードが正しくない場合、ログイン失敗のメッセージを返す（ステップ５０４）。
【００３１】コミュニケーションの全体内容が表示されている状態で、ユーザから特定メッセージの閲覧指示があった場合（ステップ５０６）、内容表示部１４にメッセージＩＤを渡し、内容表示データの作成を指示する（ステップ５０７）。そして、履歴管理部１６に閲覧履歴の更新を指示する（ステップ５０８）。ユーザからの指示がメッセージの投稿指示であった場合（ステップ５０９）、メッセージデータ管理部１５に、メッセージＩＤ、投稿ユーザＩＤ、投稿時刻、内容情報、位置情報リンクメッセージＩＤからなる投稿情報を渡し、メッセージの登録を指示する（ステップ５１０）。
【００３２】次に、投稿したメッセージを表示させるため、内容表示部１４にコミュニケーション全体内容表示データ作成を指示し（ステップ５１１）、コミュニケーション内容を再表示する。そして、履歴管理部１６に投稿履歴の更新を指示する（ステップ５１２）。
ユーザからの指示がキーメッセージ表示指示であった場合（ステップ５１３）、キーメッセージ抽出部１７にキーメッセージの抽出を指示し（ステップ５１４）、次に、キーメッセージ表示部１８に抽出されたキーメッセージのＩＤ群を渡し、表示データの作成を指示する（ステップ５１５）。
【００３３】
本実施例では、ログインした直後にコミュニケーション全体内容を表示しているが、コミュニケーション全体内容を表示する前にキーメッセージをいきなり表示する方法もある。
「【００５４】（
３）キーメッセージ抽出対象を前回ログアウト時刻以前に投稿されたメッセージのみとする。
【００５５】
キーメッセージ抽出部１７において、図９のステップ８１０を、「取得したメッセージＩＤの中から、前回ログアウト時刻以前に投稿されたメッセージのメッセージＩＤを選択する」に変更することにより、前回ログアウト時刻以前に投稿されたメッセージに関して、同様に距離Ｎで結ばれているキーメッセージを抽出できる。
「【００６４】
（８）抽出したキーメッセージを表示する際に、前回ログアウト時刻２０１以前のメッセージと前回ログアウト時刻２０１以降のメッセージを区別して表示できる。
【００６５】
ユーザの前回ログアウト時刻２０１と、表示するメッセージの投稿時刻４０２を比較することにより、表示するメッセージが前回ログアウト時刻２０１以降に投稿されたのか、以前に投稿されたのか判別でき、それらを区別して表示できる。また、それらを区別せずに表示することも可能である。
　そして、上記下線部の記載を技術的常識に照らすと次のことがいえる。
ア．「メッセージを情報単位としたコミュニケーションシステムについて述べるが、本発明はこれに限定されるものではなく、電子掲示板やチャット、電子メールなどさまざまな種類のシステムに適用できる。」（【００１１】）及び「本システムは、プログラムおよびデータを格納する記憶装置５１と、記憶装置５１からプログラムおよびデータをロードして演算処理を実行する処理装置７５、処理装置７５とクライアント３０をネットワーク４０を介して通信させるための通信装置７０からなるサーバ５０である」（【００２４】）の記載から、「サーバ５０」は、複数のクライアントへのパーシステントメッセージングサービスを提供するといえる。
イ． 「ユーザデータ１９はユーザＩＤとパスワードの組を格納している。メッセージデータ２０は、各メッセージについてメッセージＩＤ、投稿ユーザＩＤ、投稿時刻、内容情報、位置情報、リンクＩＤを格納している。履歴データ２１はコミュニケーションに参加登録している各ユーザについて、ユーザＩＤ、ログアウト時刻、履歴情報を格納している。」（【００２３】）の記載から、「ユーザデータ１９」、「メッセージデータ２０」、「履歴データ２１」は、パーシステントメッセージングサービスを実行するメモリスペースを提供しているといえる。
ウ．「ユーザ管理部１３はユーザＩＤおよびパスワードの組を格納するユーザデータ１９を管理し、ログイン指示があった際にユーザＩＤとパスワードを認証し、正しければユーザＩＤをコミュニケーション制御部１２に渡し、正しくなければログイン失敗のメッセージを返す。」（【００１９】）の記載から、ユーザ管理部１３はユーザーデータ１９を格納しており、ユーザーデータ１９はログインの認証に使われるから、クライアント３０からネットワーク４０を介して前記パーシステントメッセージングサービスとのアクティブ通信を開始するユーザーのためのものといえる。
エ．「キーメッセージ抽出部１７」において、抽出したキーメッセージは「キーメッセージ表示部１８」で表示データが作成され、作成された表示データはクライアント３０に送信されることは明らかである。
　上記下線部の記載及びア〜ウによれば、引用文献１には、次の発明（以下、「引用発明」という。）が記載されていると認められる。
「ネットワーク４０に接続された複数のクライアント３０へのパーシステントメッセージングサービスを提供するためのサーバ５０であって、
　パーシステントメッセージングサービスを実行するメモリスペースを提供するユーザデータ１９、メッセージデータ２０、履歴データ２１と、
クライアント３０からネットワーク４０を介して前記パーシステントメッセージングサービスとのアクティブ通信を開始するユーザーのために、ユーザデータ１９にユーザＩＤを格納するユーザ管理部１３と、
　メッセージデータ２０はそれぞれがメッセージＩＤ４００、投稿ユーザＩＤ４０１、投稿時刻４０２、メッセージの本文にあたる内容情報４０３、メッセージの表示位置を表す位置情報４０４からなる複数のメッセージデータ３００から構成され、
　ログイン後、ユーザからの指示がキーメッセージ表示指示であった場合、キーメッセージ抽出部１７にキーメッセージの抽出を指示し、キーメッセージ表示部１８に抽出されたキーメッセージのＩＤ群を渡し、表示データの作成を指示し、
　キーメッセージ抽出対象を前回ログアウト時刻以前に投稿されたメッセージのみとする場合、キーメッセージ抽出部１７において、取得したメッセージＩＤの中から、前回ログアウト時刻以前に投稿されたメッセージのメッセージＩＤを選択することにより、前回ログアウト時刻以前に投稿されたメッセージに関してキーメッセージを抽出し、キーメッセージ表示部１８は、抽出したキーメッセージの表示データを作成し、クライアント３０に送信するサーバ５０。」
　
２．対比
　本願発明と引用発明を対比する。
ア．引用発明の「ネットワーク４０に接続された複数のクライアント３０へのパーシステントメッセージングサービスを提供するためのサーバ５０」は、本願発明の「分散ネットワークに接続されたクライアントデバイスのポピュレーションへのパーシステントメッセージングサービスを提供するための装置」と「ネットワークに接続されたクライアントデバイスのポピュレーションへのパーシステントメッセージングサービスを提供するための装置」である点では一致するといえる。
イ．引用発明の「パーシステントメッセージングサービスを実行するメモリスペースを提供するユーザデータ１９、メッセージデータ２０、履歴データ２１」は、本願発明の「パーシステントメッセージングサービスを実行する共有メモリスペースをホストするための手段」と「パーシステントメッセージングサービスを実行するメモリスペースをホストするための手段」である点では一致するといえる。
ウ．引用発明の「クライアント３０からネットワーク４０を介して前記パーシステントメッセージングサービスとのアクティブ通信を開始するユーザーのために、ユーザデータ１９にユーザＩＤを格納するユーザ管理部１３」は、本願発明の「クライアントデバイスから通信ネットワークを介して前記パーシステントメッセージングサービスとのアクティブ通信を開始するユーザーのために、前記共有メモリスペースにユーザーデータを配置させるための手段」と「クライアントデバイスから通信ネットワークを介して前記パーシステントメッセージングサービスとのアクティブ通信を開始するユーザーのために、メモリスペースにユーザーデータを配置させるための手段」である点では一致するといえる。
エ．引用発明の「取得したメッセージＩＤの中から、前回ログアウト時刻以前に投稿されたメッセージのメッセージＩＤを選択することにより、前回ログアウト時刻以前に投稿されたメッセージに関してキーメッセージを抽出」する「キーメッセージ抽出部１７」は、本願発明の「以前のメッセージングセッションの前記ユーザーデータにマッチする前記共有メモリスペースに記憶されたメッセージオブジェクトを位置づけるための手段」と「以前のメッセージングセッションの前記ユーザーデータにマッチするメモリスペースに記憶されたメッセージオブジェクトを位置づけるための手段」である点では一致するといえる。
オ．引用発明の「キーメッセージ抽出部１７において、」「抽出したキーメッセージの表示データを作成し、クライアント３０に送信する」、「キーメッセージ表示部１８」は、本願発明の「前記メッセージオブジェクトから引き出された履歴メッセージを前記通信ネットワークを介して前記クライアントデバイスに送信するための手段」と「前記メッセージオブジェクトから引き出された履歴メッセージを前記通信ネットワークを介して前記クライアントデバイスに送信するための手段」である点では一致するといえる。
カ．引用発明の「前回ログアウト時刻以前に投稿されたメッセージに関してキーメッセージを抽出」する」ものであるから、「抽出したキーメッセージの表示データ」は、本願発明と同様に「前記履歴メッセージは、前記以前のメッセージングセッションの少なくとも一部を備える」ものといえる。
　そうすると、両者は、次の点で一致する。
「ネットワークに接続されたクライアントデバイスのポピュレーションへのパーシステントメッセージングサービスを提供するための装置であって、
　パーシステントメッセージングサービスを実行するメモリスペースをホストするための手段と；
　クライアントデバイスから通信ネットワークを介して前記パーシステントメッセージングサービスとのアクティブ通信を開始するユーザーのために、メモリスペースにユーザーデータを配置させるための手段と；
　以前のメッセージングセッションの前記ユーザーデータにマッチするメモリスペースに記憶されたメッセージオブジェクトを位置づけるための手段と；
　前記メッセージオブジェクトから引き出された履歴メッセージを前記通信ネットワークを介して前記クライアントデバイスに送信するための手段と；
　を備え、
　前記履歴メッセージは、前記以前のメッセージングセッションの少なくとも一部を備える、
　装置。」
　　
　他方、本願発明と引用発明は次の点で相違する。
　本願発明は、「分散ネットワーク」に接続されたクライアントデバイスのポピュレーションへのパーシステントメッセージングサービスを提供するための装置であり、パーシステントメッセージングサービスを実行する「共有メモリスペース」をホストするための手段を備えるのに対し、引用発明は、「分散ネットワーク」に接続されたクライアントデバイスのポピュレーションへのパーシステントメッセージングサービスを提供するための装置ではなく、サーバ５０は、パーシステントメッセージングサービスを実行する「メモリスペース」を提供しているもののパーシステントメッセージングサービスを実行する「共有メモリスペース」を提供していない点。
　この点は、原査定において、相違点とした事項には含まれていないが、引用発明はこの点に対応する事項を有さないので相違点である。
３．判断
　上記相違点について検討する。
　本願発明に係る上記相違点における「分散ネットワーク」は、分散コンピューティングのネットワークシステムのことであり、「パーシステントメッセージングサービスを実行する共有メモリスペース」は、分散ネットワークの複数のコンピュータが共有するメモリスペースであってクライアントデバイスへのパーシステントメッセージングサービスの提供を実行するために利用されるものと解される。
　原査定の拒絶理由に引用した引用文献２〜５には、「分散ネットワークに接続されたクライアントデバイスのポピュレーションへのパーシステントメッセージングサービスを提供する」技術及び上記意味における「パーシステントメッセージングサービスを実行する共有メモリスペース」の技術は記載されておらず、示唆されてもいない。
　よって、引用発明において、引用文献２〜５に記載された技術を採用できたとしても、そのことによって上記相違点を克服することが当業者にとって容易であったということはできない。　　
　ほかに、上記相違点の克服が当業者にとって容易であったというべき理由を発見しない。
　したがって、本願発明は、引用発明に基づいて、当業者が容易に発明をすることができたとはいえない。
　本願請求項１に係る発明は、本願発明を限定し、方法として記載したものであるから、本願発明と同様の理由により、引用発明に基づいて、当業者が容易に発明をすることができたとはいえない。
　本願請求項２〜１０、４７、４９に係る発明は、本願請求項１に係る発明をさらに限定したものであるから、本願発明と同様の理由により、引用発明に基づいて、当業者が容易に発明をすることができたとはいえない。
　本願請求項１１、１２に係る発明は、本願発明をプロセッサ、記憶媒体として記載したものであるから、本願発明と同様の理由により、引用発明に基づいて、当業者が容易に発明をすることができたとはいえない。
　本願請求項１４に係る発明は、本願請求項１に係る発明を装置として記載したしたものであるから、本願発明と同様の理由により、引用発明に基づいて、当業者が容易に発明をすることができたとはいえない。
　本願請求項１５〜２３に係る発明は、本願請求項１４に係る発明をさらに限定したものであるから、本願発明と同様の理由により、引用発明に基づいて、当業者が容易に発明をすることができたとはいえない。
　本願請求項２４に係る発明は、本願発明をクライアントデバイス側の方法として記載したものであるから、本願発明と同様の理由により、引用発明に基づいて、当業者が容易に発明をすることができたとはいえない。
　本願請求項２５〜３３に係る発明は、本願請求項２４に係る発明をさらに限定したものであるから、本願発明と同様の理由により、引用発明に基づいて、当業者が容易に発明をすることができたとはいえない。
　本願請求項３４、３５、３６に係る発明は、本願請求項２４に係る発明をプロセッサ、記憶媒体、装置として記載したものであるから、本願発明と同様の理由により、引用発明に基づいて、当業者が容易に発明をすることができたとはいえない。
　本願請求項３７に係る発明は、本願請求項３６に係る発明を限定したものであるから、本願発明と同様の理由により、引用発明に基づいて、当業者が容易に発明をすることができたとはいえない。
　本願請求項３８〜４６、４８に係る発明は、本願請求項３７に係る発明をさらに限定したものであるから、本願発明と同様の理由により、引用発明に基づいて、当業者が容易に発明をすることができたとはいえない。
第４　むすび
　以上のとおり、本願の請求項１〜４９に係る発明は、引用発明に基づいて、当業者が容易に発明することができたとはいえないから、原査定の理由によっては本願を拒絶することはできない。
　また、他に本願を拒絶すべき理由を発見しない。
　よって、結論のとおり審決する。